(57)【要約】      （修正有）【課題】洗浄水を外部へ飛散させること無く短時間でノズルを乾燥させることができ、高スループットで高精度評価が可能な自動分析装置を提供する。【解決手段】自動分析装置は、検体を反応容器へ分注する検体分注装置、試薬の分注を行う試薬分注装置、検体分注装置のノズルを洗浄する検体ノズル用洗浄槽１１０、試薬分注装置のノズルを洗浄する試薬ノズル用洗浄槽１１１、圧縮空気を供給するためのコンプレッサ８、洗浄水を供給するための洗浄水供給手段７、を備えている。そして洗浄槽１１０，１１１は、ノズル２が洗浄のためにアクセスするための上部開放口３と、洗浄水をドレインするための下部開放口４と、ノズル２に洗浄水を噴き付けるための洗浄水噴出口５と、ノズル２に残留した残存洗浄水を除去するための圧縮空気噴出口６を備えている。更に、下部開放口４の開口面積は上部開放口３より広くなった構造をしている。【選択図】図２
2013134142.tif 000002
【特許請求の範囲】
【請求項１】
反応容器内で化学反応させた反応液の吸光度を測定して成分分析を行う自動分析装置であって、
試薬や分析対象である検体を反応容器に分注する分注用ノズルと、
前記ノズルを洗浄する洗浄槽と、
洗浄水を前記洗浄槽に供給する洗浄水供給手段と、
圧縮空気を前記洗浄槽に供給する圧縮空気供給手段とを備え、
前記洗浄槽は、
前記洗浄水供給手段から供給された洗浄水を前記洗浄槽内に供給する洗浄水噴出口と、前記圧縮空気供給手段から供給された圧縮空気を前記洗浄槽内に挿入された前記ノズルに向かって噴出させる圧縮空気噴出口と、前記ノズルが洗浄のためにアクセスするための上部開放口と、洗浄後の洗浄水を前記洗浄槽外へ排出するための、前記上部開放口より開口径が広い下部開放口とを有することを特徴とする自動分析装置。
【請求項２】
請求項１に記載の自動分析装置において、
前記洗浄槽は、更に、前記ノズルのアクセス時に、前記上部開放口の開口面積を広める可動機構を備えることを特徴とする自動分析装置。
【請求項３】
請求項１または２に記載の自動分析装置において、
前記洗浄槽は、更に、この洗浄槽内に前記圧縮空気の噴出量に比べて体積の大きい空間を備えるよう、外周面に突出部を有することを特徴とする自動分析装置。
【請求項４】
請求項３に記載の自動分析装置において、
前記洗浄槽は、更に、前記噴出された圧縮空気を前記空間内で整流する構造を備えたことを特徴とする自動分析装置。
【請求項５】
請求項３に記載の自動分析装置において、
前記洗浄槽は、前記空間内に、一方通行のみ空気を流す逆止弁を備えたことを特徴とする自動分析装置。
【請求項６】
請求項１〜５のいずれか１項記載の自動分析装置において、
前記洗浄槽は、更に、真空吸引手段と接続された真空吸引口を備えることを特徴とする自動分析装置。
【請求項７】
請求項１〜６のいずれか１項記載の自動分析装置において、
前記洗浄槽は、前記圧縮空気噴出口を複数有し、この圧縮空気噴出口を筋向いに配置したことを特徴とする自動分析装置。
【発明の詳細な説明】
【技術分野】
【０００１】
本発明は、血液、尿等の検体に対して定性・定量分析を行う自動分析装置に関し、特に試薬と検体の分注用に用いられるノズルを洗浄，乾燥する手段を備えた自動分析装置に関する。
【背景技術】
【０００２】
自動分析装置では、まず血液を遠心分離により分離させた検体となる血清を、サンプリング機構により反応容器に分注する。次に検査項目に対応した試薬をノズル等のピペッティング機構により反応容器に分注し、反応容器内で混合攪拌することで反応を促進させる。その後、反応容器内の反応液の吸光度を光度計により測定することで、検体中の検査項目の分析を行っている。
その中で、検体や試薬を分注するノズルは、検体や試薬を分注した後に内壁および外壁を流水で洗浄しており、ノズルを繰返し使用している。
【０００３】
この洗浄後のノズル外壁表面には洗浄水が残存しているため、次分注の検体や試薬の濃度を薄めて、分析精度を落としてしまう恐れがあった。しかし、実際のところその量はごくわずかであったので、従来は大きな影響が出ていなかったこともあり、ノズルの残存洗浄水を除去、乾燥させずにそのまま使用していた。
【０００４】
しかし、分注の微量化が進んできたため、検体や試薬を吸引する時に洗浄水が検体や試薬へ持ち込まれることで検体・試薬の濃度変化を引き起こし、測定結果に影響を及ぼす可能性が大きくなってきた。このため、今後、検体と試薬の少量化を進めていく上で、残留洗浄水の量が無視できずに分析結果に影響を与え、正確な検体の評価が困難になるとの懸念がある。
【０００５】
そこで、例えば特許文献１，２に記載のように、残存洗浄水を除去、乾燥する仕掛けを持つ自動分析装置が開示されている。
特許文献１では、反応容器の洗浄として、反応液の廃棄や反応容器の洗浄水の廃棄に真空吸引を用い、そのために真空系を備えている自動分析装置が開示されている。
また、特許文献２では、洗浄室内へのプローブの挿入および引上げを自在とし、該洗浄室には挿入されたプローブに純水を噴射する水噴射ノズルと、水噴射ノズルの下方に設けられプローブを純水により浸漬状態で洗浄する浸漬洗浄槽と、該浸漬洗浄槽から引上げられるプローブに圧縮空気を吹き付け乾燥させる空気噴射ノズルとを備えた自動分析装置の洗浄装置が開示されている。
【先行技術文献】
【特許文献】
【０００６】
【特許文献１】特開２００２−３４０９１３号公報
【特許文献２】特開昭６２−２４２８５８号公報
【発明の概要】
【発明が解決しようとする課題】
【０００７】
ここで、評価の正確性を損なわずに装置の高処理能力化（スループット向上）を実現するためには、乾燥も含めたノズルの洗浄時間を短縮することが大きな課題となっている。
しかし、真空乾燥の場合、到達圧力に限界があるため、大きな風速・風量を作り出すことは一般的に困難なため、特許文献１に記載の自動分析装置では短時間でノズルを乾燥させることが困難であり、スループット向上には限界がある。
【０００８】
また、特許文献２に記載の洗浄装置では、空気噴射ノズルは上部開放口に最も近い位置に設けられているため、圧縮空気をノズルに吹き付ける際に、ノズルに残存した洗浄水が飛散して装置の清浄度が落ち、最悪の場合は検体評価の精度に悪影響を与えかねない、との問題がある。
【０００９】
本発明は、上記課題に鑑みなされたものであって、洗浄水を外部へ飛散させること無く短時間でノズルを乾燥させることができ、高スループットで高精度評価が可能な自動分析装置を提供するものである。
【課題を解決するための手段】
【００１０】
上記目的を達成するために、本発明は、反応容器内で化学反応させた反応液の吸光度を測定して成分分析を行う自動分析装置であって、試薬や分析対象である検体を反応容器に分注する分注用ノズルと、前記ノズルを洗浄する洗浄槽と、洗浄水を前記洗浄槽に供給する洗浄水供給手段と、圧縮空気を前記洗浄槽に供給する圧縮空気供給手段とを備え、前記洗浄槽は、前記洗浄水供給手段から供給された洗浄水を前記洗浄槽内に供給する洗浄水噴出口と、前記圧縮空気供給手段から供給された圧縮空気を前記洗浄槽内に挿入された前記ノズルに向かって噴出させる圧縮空気噴出口と、前記ノズルが洗浄のためにアクセスするための上部開放口と、洗浄後の洗浄水を前記洗浄槽外へ排出するための、前記上部開放口より開口径が広い下部開放口とを有するものである。
【発明の効果】
【００１１】
上述した本発明によれば、乾燥を短時間で行うことができるため分注処理を短時間で実行できるとともに、ノズルの残存洗浄水の量を低減できるため、微量分注においても信頼性の高いデータを提供でき、自動分析装置の高処理能力化を実現することができる。更に、洗浄水の飛散といった弊害が非常に小さく、安全、清潔に使用でき、高精度な検体評価を行うことが可能な自動分析装置が提供される。
【図面の簡単な説明】
【００１２】
【図１】本発明の第１の実施形態の自動分析装置の概略図である。
【図２】第１の実施形態の自動分析装置の洗浄槽の概略を示す図である。
【図３】第１の実施形態の自動分析装置の洗浄槽の概略を示す図である。
【図４】第２の実施形態の自動分析装置の洗浄槽の概略を示す図である。
【図５】第３の実施形態の自動分析装置の洗浄槽の概略を示す図である。
【図６】第４の実施形態の自動分析装置の洗浄槽の概略を示す図である。
【図７】第５の実施形態の自動分析装置の洗浄槽の概略を示す図である。
【図８】第６の実施形態の自動分析装置の洗浄槽の概略を示す図である。
【図９】第７の実施形態の自動分析装置の洗浄槽の概略を示す図である。
【図１０】第８の実施形態の自動分析装置の洗浄槽の概略を示す図である。
【図１１】第９の実施形態の自動分析装置の洗浄槽の概略を示す図である。
【図１２Ａ】第１０の実施形態の自動分析装置の洗浄槽の概略を示す図である。
【図１２Ｂ】図１２Ａ中のＡ−Ａ断面の断面図である。
【発明を実施するための形態】
【００１３】
以下に本発明の幾つかの実施の形態について、図面を用いて説明する。
【００１４】
＜第１の実施の形態＞  
本発明の第１の実施形態について、図１〜図３を用いて説明する。
図１は、本発明の第１の実施形態の自動分析装置の構成例の概略を示す図である。
【００１５】
図１に示すように、自動分析装置は、検体を装置にセットするための検体ディスク１０１、その検体を反応容器へ分注するための分注用ノズルを備えた検体分注装置１０２、反応容器である反応セル１０３およびその保持具である反応ディスク１０４、測定項目に応じた試薬をセットする試薬ディスク１０５、その試薬の分注を行うための分注用ノズルを備えた試薬分注装置１０６、反応セル中に分注された検体と試薬を攪拌するための攪拌機構１０７、反応液を比色分析する光度計１０８、分析が終了した反応液を吸引して、使用後の反応セルの洗浄を行う反応セル洗浄機構１０９を備えている。
【００１６】
また、洗浄槽として、検体分注装置１０２のノズルを洗浄するための検体ノズル用洗浄槽１１０と、試薬分注装置１０６のノズルを洗浄するための試薬ノズル用洗浄槽１１１を備えている。
【００１７】
また、検体ノズル用洗浄槽１１０と試薬ノズル用洗浄槽１１１にノズル２を洗浄するための洗浄水を供給するための洗浄水供給手段７を備えている。
【００１８】
更に、検体ノズル用洗浄槽１１０と試薬ノズル用洗浄槽１１１に圧縮空気を供給する圧縮空気供給手段として、コンプレッサ８を備えている。なお、この圧縮空気供給手段には、コンプレッサの他、弾性体を短時間に収縮させる空気砲のような手段を用いることができる。
【００１９】
図２，図３は、本発明の第１の実施形態の自動分析装置における洗浄槽の概略図である。
【００２０】
洗浄槽１１０，１１１は、その上部に検体分注装置１０２や試薬分注装置１０６のノズル２が洗浄のためにアクセスできるように上部開放口３を備え、また、その下部にも洗浄水をドレインできるように下部開放口４を備えた構造をしている。また、ノズル２に洗浄水を噴き付けるための洗浄水噴出口５と、ノズル２に残留した残存洗浄水を除去・乾燥させるための圧縮空気噴出口６を備えていて、それぞれ洗浄水供給手段７と圧縮空気供給手段８に接続されている。この洗浄水噴出口５または圧縮空気噴出口６は、それぞれ洗浄水または圧縮空気をノズル２に向けて勢いよく噴出させ、そのまま下部開放口４に向けてスムーズに排出されるよう、噴出口の中心軸が斜め下向きになるよう配置されている。
【００２１】
更に、図３に示すように、洗浄槽１１０，１１１は、下部開放口４の開口面積Ｄが上部開放口３の開口面積ｄより広くなった構造をしており、すなわち上部開放口３が下部開放口４より絞られている構造となっている。
なお、上部開放口３の開放面積をｄ、長さをｌとし、下部開放口４の開放面積をＤ、長さをＬとすると、上部開放口３と下部開放口４の関係は、ｄ／ｌ＜＜Ｄ／Ｌの関係を満たすようにするのがよい。ノズル２の径は通常１〜３ｍｍ位の大きさなので、ノズル２の繰返し停止位置の誤差を考慮すると、ｄはできる限り小さくするのがよく、５ｍｍ内とすることが望ましい。また、ｄを小さくすることが困難な場合、ｌを長くとってもよい。
【００２２】
なお、圧縮空気噴出口６は、洗浄により濡れた範囲より広い範囲をカバーすべく、洗浄水噴出口５より上方にあるほうがよい。ただし、このことは本発明を制限するものではなく、圧縮空気噴出口６を洗浄水噴出口５の下側に設けてもよい。
【００２３】
上述のような自動分析装置による検体の分析処理は、以下の順に従い実行される。
【００２４】
まず、検体分注装置１０２が、検体ディスク１０１上の被分析検体を収容する容器から反応セル１０３へとノズル２（図２参照）を用いて分注する。次に、試薬分注装置１０６が、分析に使用する試薬を試薬ディスク１０５上の試薬容器から反応セル１０３へとノズル２（図２参照）を用いて分注する。続いて、撹拌機構１０７で反応セル１０３内の混合液の撹拌を行う。
【００２５】
その後、光源から発生させた光を混合液の入った反応セル１０３を透過させ、透過光の光度を光度計１０８により測定する。光度計１０８により測定された光度を、Ａ／Ｄコンバータ及びインターフェイスを介してコンピュータに送信する。そしてコンピュータによる演算の結果、得られた測定結果を、表示部にて表示させる。
【００２６】
ここで、検体ノズル用洗浄槽１１０では、検体分注装置１０２が検体の分注を行うごとに当該検体分注装置１０２のノズル２の先端を洗浄する。また試薬ノズル用洗浄槽１１１では、試薬分注装置１０６が試薬の分注を行うごとに当該試薬分注装置１０６のノズル２の先端を洗浄する。
また、反応後の反応セル１０３を、反応容器洗浄機構１０９により洗浄し、次の反応に繰り返し使用する。
【００２７】
これら分析装置の動作機構は、全て通信手段、インターフェイスを介してコンピュータによって制御される。
【００２８】
次に、検体分注装置１０２や試薬分注装置１０６による、検体の吸引・洗浄・吐出の様子について説明する。なお、試薬分注装置１０６による試薬の吸引・洗浄・吐出の様子は、検体分注装置１０２が試薬分注装置１０６、検体が試薬に代わる点を除いて後述した検体分注装置１０２による検体の吸引・洗浄・吐出の様子と実質的に同じであるため、説明は省略する。
【００２９】
最初に、検体分注装置１０２を検体ノズル用洗浄槽１１０に移動させ、ノズル２の内壁洗浄と外壁洗浄を行う。
このノズル２の内壁の洗浄は、図示しないポンプによってノズル内部を通水し、ノズル２内の流水を吐出することで行う。またノズル２の外壁洗浄は、洗浄水供給手段７内にある給水タンクに保持された洗浄水を、洗浄槽１１０内の洗浄水噴出口５よりノズル２の外壁に向けて噴出させることで行う。その後、洗浄水は図示しない廃液タンクに収容される。このときノズル外壁に残存した洗浄水は、乾燥を行わないと次に吸引する検体に持ち込まれることになる。
そこで、ノズル２の外壁に向けて、コンプレッサ８で発生させた圧縮空気を圧縮空気噴出口６より噴出させて、ノズル２の外壁に残留した水滴（洗浄水）を吹き飛ばして乾燥させる。
なお、ノズル２内は水が充満した状態であるため、乾燥は行わない。
【００３０】
次に、空気を検体分注装置１０２のノズル２内に吸引する。
次に、検体分注装置１０２を検体ディスク１０１上の検体容器の上まで移動させ、検体の液面に向かって下降させて検体を設定量分吸引する。
【００３１】
ここで、検体を保持した検体分注装置１０２のノズル２の外壁には余分な検体が付着しているため、これを洗浄するために、検体分注装置１０２を検体ノズル用洗浄槽１１０まで移動させる。このときの洗浄でノズル２の外壁に残存した洗浄水が、乾燥させないと反応セル１０３に持ち込まれることになる。
そこで、ノズル２の外壁に向けて圧縮空気噴出口６より圧縮空気を噴出させて、ノズル２の外壁に残留した洗浄水の水滴を吹き飛ばす。
【００３２】
次に、検体分注装置１０２のノズル２を反応セル１０３内に移動させ、吸引した検体を吐出させる。
【００３３】
その後、同一の検体を測定する場合は、検体分注装置１０２の内壁および外壁の洗浄をせずに、検体の吸引動作を行う。
これに対し異なる検体を測定する場合は、次検体の吸引動作に入る前に検体分注装置１０２のノズル２の内壁洗浄および外壁洗浄を行わなければならない。しかしこの洗浄においてノズル外壁に残存した洗浄水は次の検体に持ち込まれることになる。そのため、ノズル２の乾燥を行うが、このときの内壁洗浄および外壁洗浄は上述の方法と同じように、ノズル内壁はノズル内部を通水し、ノズル外壁は洗浄水を吹き付けた後に圧縮空気を吹き付けることで行う。
【００３４】
従来のように、上部、下部とも開放口を持つ開放された構造の洗浄槽では、圧縮空気噴出時に洗浄槽内の圧力が瞬間的に高まる。このときドレイン側の下部開放口へ気流がスムーズに流れれば問題ないが、下部への圧力開放が十分でないと上部開放口からも気体が噴出し、その際、一緒に残存洗浄水を飛散させてしまい、自動分析装置の清浄度が落ち、最悪の場合は検体評価の精度に悪影響を与える恐れがある。
【００３５】
しかし、本実施形態の自動分析装置における洗浄槽によれば、図２，３に示すように、分注ノズルの洗浄によるノズル外壁に付着する洗浄水を圧縮空気によって吹き飛ばして乾燥させるとともに、ノズルのアクセスのための上部開放口より開口径の広いドレイン用の下部開放口から圧縮空気を下部開放口側に導いている。
このため、乾燥に要する時間は非常に短時間で済みながらノズルの外壁を乾燥させることができるため、分注処理に要する時間の短縮を図ることができるとともに、検体や試薬を吸引する時に洗浄水が検体や試薬へ持ち込まれて、検体・試薬の濃度変化を引き起こして測定結果に影響を及ぼす危険性が非常に低い自動分析装置となる。さらに、圧縮空気を吹付の際にノズルに残存した洗浄水が上部開放口から洗浄槽外へ飛散することは抑制されるため、自動分析装置としての清浄度が低下することはなく、検体評価の精度へ悪い影響が出ることも抑制される。
よって、高スループットで高精度評価が可能な自動分析装置が実現される。
【００３６】
＜第２の実施形態＞  
本発明の第２の実施形態の自動分析装置について、図４を用いて説明する。本実施形態における自動分析装置は、洗浄槽の構造が異なる場合のものであり、洗浄槽以外の構成は第１の実施形態の自動分析装置と略同じであり、詳細は省略する。図４は、第２の実施形態の自動分析装置の洗浄槽の概略を示す図である。
【００３７】
図４に示すように、本実施形態の洗浄槽は、上部開放口３に、可動機構として絞り９を設置した例である。このような洗浄槽では、ノズル２のアクセス時以外（分注作業等のノズル２の非アクセス時や、ノズル２の乾燥時）の通常時に絞り９を絞った状態としておき、下部開放口４の開口面積を上部開放口３に比べて広い状態とする。これに対し、ノズル２が上部開放口３から洗浄槽にアクセスする際には、絞り９を開放し、上部開放口３の開口面積を広げてノズル２が容易にアクセスできるようにする。この時の上部開放口３の開口面積は、下部開放口４の開口面積に比べて広くても狭くてもよい。
【００３８】
これにより、ノズルアクセス時には上部開放口の開口面積が広がるため、ノズルの繰返し停止位置誤差がたとえ大きかったとしても、ノズルと洗浄槽の干渉が抑制され、ノズルが洗浄槽へ衝突することが避けられるので、ノズルの変形等の障害が発生しにくく、分注精度に異常をきたすことを防止し、かつメンテナンス頻度の低減を図ることができる。
また、ノズルアクセス時のみ絞りを開放することで、圧縮空気噴射の際に絞りを閉塞して下部開放口の開口面積を上部開放口より広くすることで、洗浄水の飛散を抑えることができる。
よって、トラブルが少なくメンテナンス頻度も低減できる自動分析装置となる。
【００３９】
なお、絞り９によって上部開放口９の開口面積を広げるタイミングはノズル２のアクセスの際だけに限られず、分注作業の際にも広げていてもよく、少なくともノズル２の乾燥時に広げなければよい。
【００４０】
＜第３の実施形態＞  
本発明の第３の実施形態の自動分析装置について、図５を用いて説明する。本実施形態における自動分析装置は、洗浄槽以外の構成は第１の実施形態の自動分析装置と略同じであり、詳細は省略する。図５は、第３の実施形態の自動分析装置の洗浄槽の概略を示す図である。
【００４１】
図５に示すように、本実施形態の洗浄槽は、洗浄槽を構成する空間とは別に、圧力緩衝空間１０を持たせて、洗浄槽の体積Ｖを広げたものである。この圧力緩衝空間１０は洗浄槽空間とつながっており、この圧力緩衝空間１０を備えていることにより、洗浄槽の外周面に突出部１４を有している状態となる。
【００４２】
このように圧縮空気噴射量をｖとしたときに、ｖ＜＜Ｖとなる圧力緩衝空間を洗浄槽内に設けることで、急激な圧力上昇を抑えることができるため、上部開放口からあふれ出る気体の流れも緩やかになり、洗浄水の飛散がより確実に抑えられるようになる。
【００４３】
＜第４の実施形態＞  
本発明の第４の実施形態の自動分析装置について、図６を用いて説明する。本実施形態における自動分析装置は、洗浄槽以外の構成は第１の実施形態の自動分析装置と略同じであり、詳細は省略する。図６は、第４の実施形態の自動分析装置の洗浄槽の概略を示す図である。
【００４４】
図６に示すように、本実施形態の洗浄槽は、圧力緩衝空間１０を有する洗浄槽において、噴出した圧縮空気を整流するような構造（整流構造）１６を備えたものである。
【００４５】
これにより、図６中の矢印（破線）で示すように、噴出させた空気が整流構造１６にぶつかってスムーズに圧力緩衝空間１０に流れるようになり、洗浄槽内の圧力上昇がより抑制されて洗浄水が洗浄槽外に飛散することをより効果的に抑止することができる。また、洗浄水は、図６中の矢印（実線）で示すように、整流構造１６の下部から下部開放口４に向かうため、圧力緩衝空間１０内に洗浄水が残留することも防止される。
【００４６】
＜第５の実施形態＞  
本発明の第５の実施形態の自動分析装置について、図７を用いて説明する。本実施形態における自動分析装置は、洗浄槽以外の構成は第１の実施形態の自動分析装置と略同じであり、詳細は省略する。図７は、第５の実施形態の自動分析装置の洗浄槽の概略を示す図である。
【００４７】
図７に示すように、本実施形態の洗浄槽は、洗浄水噴出口５と圧縮空気噴出口６の向きを９０度ずらして配置し、洗浄水噴出口５の中心軸の延長線が圧力緩衝空間１０のほうに向かないようにしたものである。
【００４８】
洗浄槽では洗浄水も噴出されるから、このような構造とすることにより、この洗浄水が圧力緩衝空間１０にたまってしまうことを抑制することができ、自動分析装置、特に洗浄槽の清浄度をより高いものとすることができる。
【００４９】
＜第６の実施形態＞  
本発明の第６の実施形態の自動分析装置について、図８を用いて説明する。本実施形態における自動分析装置は、洗浄槽以外の構成は第１の実施形態の自動分析装置と略同じであり、詳細は省略する。図８は、第６の実施形態の自動分析装置の洗浄槽の概略を示す図である。
【００５０】
図８に示すように、本実施形態の洗浄槽は、圧力緩衝空間１０に、開放口１１を設けたものである。このような構造の洗浄槽では、噴出させた圧縮空気はこの開放口１１から主に開放され、下部開放口４からは主に洗浄後の洗浄水を排出する。
【００５１】
この開放口１１は複数持ってもよく、ドレイン側だけでなく、大気側に開放してもよい。
【００５２】
このような構造であれば、噴出した圧縮空気を効率よく洗浄槽外に排出することができ、洗浄槽内の圧力上昇がより効果的に抑制され、洗浄水が上部開放口から飛散することがより効果的に抑制される。
【００５３】
＜第７の実施形態＞  
本発明の第７の実施形態の自動分析装置について、図９を用いて説明する。本実施形態における自動分析装置は、洗浄槽以外の構成は第１の実施形態の自動分析装置と略同じであり、詳細は省略する。図９は、第７の実施形態の自動分析装置の洗浄槽の概略を示す図である。
【００５４】
図９に示すように、本実施形態の洗浄槽は、圧力緩衝空間１０に開放口１１を設けた形態の洗浄槽において、吹き飛ばした洗浄水を開放口１１から一緒に排出しない様に、圧力緩衝空間１０をトラップ構造１７としたものである。このような洗浄槽では、洗浄水と主に流れてきた圧縮空気のうち、洗浄水はトラップ構造１７にトラップされて開放口１１のうちドレイン側の開放口１１ａに向かい、空気は開放口のうち大気側の開放口１１ｂから排出される。
なお、このトラップ構造１７は、サイクロン構造とすることもできる。
【００５５】
これにより、空気と洗浄水を容易に分離させて、それぞれの開放口１１から排出するように構成される。よって、洗浄水が洗浄槽外へ飛散することがより抑制されることになる。
【００５６】
＜第８の実施形態＞  
本発明の第８の実施形態の自動分析装置について、図１０を用いて説明する。本実施形態における自動分析装置は、洗浄槽以外の構成は第１の実施形態の自動分析装置と略同じであり、詳細は省略する。図１０は、第８の実施形態の自動分析装置の洗浄槽の概略を示す図である。
【００５７】
図１０に示すように、本実施形態の洗浄槽は、洗浄槽を構成する空間と圧力緩衝空間１０との接続部に、空気の流れを一方通行とするための逆止弁１２を設けたものである。
【００５８】
これにより、圧力乾燥空間１０へ流れた空気が洗浄槽側へ逆流することが防止されるため、洗浄槽内の圧力が高くなることが強く防止され、洗浄水が上部開放口を介して洗浄槽外へ飛散することがより抑制される。
【００５９】
＜第９の実施形態＞  
本発明の第９の実施形態の自動分析装置について、図１１を用いて説明する。本実施形態における自動分析装置は、洗浄槽以外の構成は第１の実施形態の自動分析装置と略同じであり、詳細は省略する。図１１は、第９の実施形態の自動分析装置の洗浄槽の概略を示す図である。
【００６０】
図１１に示すように、本実施形態の洗浄槽は、圧縮空気噴出口６を備えるとともに、上部開放口３の径を絞った位置にノズル２に付着した洗浄水を吸引するための真空吸引口１５を備えるものである。この真空吸引口１５は、真空吸引手段１３に接続されており、圧縮空気の噴出の際やノズル２が洗浄槽から離れる際に洗浄槽内の空気を吸引するよう制御される。
【００６１】
このように真空吸引口１５を更に備えて、真空吸引と圧縮空気の吹付とを併用することで、圧縮空気の吹付では除去しきれなかった残存洗浄水を真空側に捕捉させることにより乾燥力を向上させるという利点がある。そのうえ、圧縮空気の整流、圧縮空気噴出時の飛散洗浄水を吸引するという効果が得られる。
【００６２】
なお、この真空吸引口１５による真空吸引は、広い空間より狭い空間で行う方が効果的であるため、上部開放口３の位置に備えることがよいが、これに限定されない。
【００６３】
また、圧縮空気噴出口６より下部に真空吸引口１５を設けた場合、圧縮空気噴出量より真空吸引量が等しいか大きければ上部開放口３からの気体のあふれ出しは防止できる。しかし、たとえ真空吸引量が少なくても、洗浄槽内の空気の流れを下部へ整流する効果が得られるから、上部開放口からのあふれ出しを最小限に抑え、洗浄水の飛散を抑えられることに変わりはない。
【００６４】
＜第１０の実施形態＞  
本発明の第１０の実施形態の自動分析装置について、図１２Ａ，１２Ｂを用いて説明する。本実施形態における自動分析装置は、洗浄槽以外の構成は第１の実施形態の自動分析装置と略同じであり、詳細は省略する。図１２Ａは、第１０の実施形態の自動分析装置の洗浄槽の概略を示す図、図１２Ｂは、図１２ＡのＡ−Ａ断面図である。
【００６５】
本実施形態の洗浄槽は、図１２Ａに示すように、圧縮空気噴出口６が複数ある場合に、それぞれの噴出口６から噴出された圧縮空気が衝突して上部開放口３からあふれないように、図１２Ｂに示すように、圧縮空気噴出口６を筋向いに配置して、圧縮空気噴出口６の中心軸の延長線を洗浄槽の中心軸からずらすことで旋回流を生じさせるようにしたものである。ただし、ノズル２に圧縮空気が衝突しない程度までずらさないことが望ましい。
【００６６】
このような構造の洗浄槽では、旋回流により整流された圧縮空気は、図１２Ａに示すように、ノズル２の周りを旋回するように下部開放口４に向けて流れるため、圧縮空気は下部開放口４からスムーズに排気される。よって、上部開放口３からの洗浄水の飛散が強く抑えられることになる。
【００６７】
なお、圧縮空気噴出口６が単数の場合も、圧縮空気噴出口６の中心軸の延長線を洗浄槽の中心軸からずらして配置することで、旋回流を生じさせることができ、同様に洗浄水の飛散を抑制することができる。
【００６８】
＜その他＞  
以上の実施形態では、血液、尿等の生体サンプルの分析を行う臨床検査用自動分析装置を例にとって説明したが、分注用ノズルとそのノズルの洗浄槽を備えていれば、他の機能を有する自動分析装置にも本発明は適用可能である。
【符号の説明】
【００６９】
１…洗浄槽、  ２…ノズル、  ３…上部開放口、  ４…下部開放口、  ５…洗浄水噴出口、  ６…圧縮空気噴出口、  ７…洗浄水供給手段、  ８…コンプレッサ（圧縮空気供給手段）、  ９…絞り、  １０…圧力緩衝空間、  １１…開放口、  １２…逆止弁、  １３…真空吸引手段、  １４…突出部、  １５…真空吸引口、  １６…整流構造、  １７…トラップ構造、
１０１…検体ディスク、  １０２…検体分注装置、  １０３…反応セル、  １０４…反応ディスク、  １０５…試薬ディスク、  １０６…試薬分注装置、  １０７…攪拌機構、  １０８…光度計、  １０９…洗浄機構、  １１０…洗浄槽（検体ノズル用）、  １１１…洗浄槽（試薬ノズル用）。
【図１】
2013134142.tif 000003
【図２】
2013134142.tif 000004
【図３】
2013134142.tif 000005
【図４】
2013134142.tif 000006
【図５】
2013134142.tif 000007
【図６】
2013134142.tif 000008
【図７】
2013134142.tif 000009
【図８】
2013134142.tif 000010
【図９】
2013134142.tif 000011
【図１０】
2013134142.tif 000012
【図１１】
2013134142.tif 000013
【図１２Ａ】
2013134142.tif 000014
【図１２Ｂ】
2013134142.tif 000015